(57)【要約】【課題】見栄えを向上させながらも、板状部材を安定して支持し得る板状部材支持具を提供する。【解決手段】板状部材支持具１は、壁面２に沿うように配設される固定片部１６の上端部から前記壁面に垂直な方向に板状部材５を支持する支持片部１１を突出させるように設け、前記固定片部の下端側と前記支持片部の突出方向先端側とを接続するように斜め状に補強斜片部１３を設けた支持具本体１０と、前記壁面と前記固定片部との間に配設され、厚さ方向に見て前記固定片部と概ね整合する形状とされた受けプレート２０と、を備えており、前記受けプレートには、一端側が壁下地４に固定され他端側が前記固定片部に当接される補強具６が挿通される補強具挿通孔２１が、厚さ方向に見て、前記補強斜片部の固定片部側の端部１５の左右両側に位置するように設けられ、かつ当該受けプレートに対する前記補強具の前記壁下地側への移動を抑止する抑止部２２が設けられている。【選択図】図１
2015066201.tif 000002
【特許請求の範囲】
【請求項１】
壁面に沿うように配設される固定片部の上端部から前記壁面に垂直な方向に板状部材を支持する支持片部を突出させるように設け、前記固定片部の下端側と前記支持片部の突出方向先端側とを接続するように斜め状に補強斜片部を設けた支持具本体と、
前記壁面と前記固定片部との間に配設され、厚さ方向に見て前記固定片部と概ね整合する形状とされた受けプレートと、を備えており、
前記受けプレートには、一端側が壁下地に固定され他端側が前記固定片部に当接される補強具が挿通される補強具挿通孔が、厚さ方向に見て、前記補強斜片部の固定片部側の端部の左右両側に位置するように設けられ、かつ当該受けプレートに対する前記補強具の前記壁下地側への移動を抑止する抑止部が設けられていることを特徴とする板状部材支持具。
【請求項２】
請求項１において、
前記受けプレートに設けられた前記左右両側の補強具挿通孔の間に、一端側が前記壁下地に固定され他端側が前記固定片部に当接される補強具が挿通される中央補強具挿通孔を設けていることを特徴とする板状部材支持具。
【請求項３】
請求項２において、
前記中央補強具挿通孔は、厚さ方向に見て、前記補強斜片部の前記固定片部側の端部に重なる位置となるように設けられていることを特徴とする板状部材支持具。
【請求項４】
請求項１乃至３のいずれか１項において、
前記受けプレートの上端側に、止具が挿通される上端側挿通孔を設け、前記固定片部に、厚さ方向に見て、前記受けプレートの上端側挿通孔と重なる位置となるように止具が挿通される止具挿通孔を設けていることを特徴とする板状部材支持具。
【請求項５】
請求項１乃至４のいずれか１項において、
前記固定片部の上下寸法を、前記支持片部の突出寸法よりも小さい寸法としていることを特徴とする板状部材支持具。
【発明の詳細な説明】
【技術分野】
【０００１】
本発明は、壁面に沿うように設置されて板状部材を支持する板状部材支持具に関する。
【背景技術】
【０００２】
従来より、壁面に固定される固定部から水平にカウンター天板等の板状部材の下面を支持する支持部を設け、これら固定部と支持部との間に補強用斜材を設けたカウンター用支持具（板状部材支持具）が知られている（例えば、下記特許文献１参照）。このような構成とすれば、支持部に掛かる板状部材及びこれに載置された物品等の荷重を補強用斜材によっても受けることができ、支持部及び固定部の薄型化等を図ることができるものではあった。
【先行技術文献】
【特許文献】
【０００３】
【特許文献１】特開２０１０−１１５３８９号公報
【発明の概要】
【発明が解決しようとする課題】
【０００４】
しかしながら、このような板状部材支持具は、言わば片持ち状に板状部材を支持する構造とされている。そのため、板状部材支持具には、板状部材及びこれに載置された物品等によって、固定部の下端側を概ね支点として支持部の先端側を下方側に向かわせようとするモーメントが作用する。また、住居等の建物内の壁面は、耐火性や防音性等を向上させる観点等から、石膏ボードやロックウールボード等のような比較的剛性の低い（脆弱な）壁面材によって構成される場合が多々ある。このような壁面に、板状部材支持具を沿わせて取り付けた場合において、耐荷重を超えた物品等が載置されたりした場合等に、補強用斜材が設けられていることも相俟って、固定部の下端側部位が壁面材に食い込むことが考えられた。また、このような固定部の壁面材への食い込みを抑制すべく、壁面に対する当接面積を増やすように固定部を大きくすることも考えられるが、固定部が目立ち易くなることが考えられる。
【０００５】
本発明は、上記実情に鑑みてなされたものであり、見栄えを向上させながらも、板状部材を安定して支持し得る板状部材支持具を提供することを目的としている。
【課題を解決するための手段】
【０００６】
上記目的を達成するために、本発明に係る板状部材支持具は、壁面に沿うように配設される固定片部の上端部から前記壁面に垂直な方向に板状部材を支持する支持片部を突出させるように設け、前記固定片部の下端側と前記支持片部の突出方向先端側とを接続するように斜め状に補強斜片部を設けた支持具本体と、前記壁面と前記固定片部との間に配設され、厚さ方向に見て前記固定片部と概ね整合する形状とされた受けプレートと、を備えており、前記受けプレートには、一端側が壁下地に固定され他端側が前記固定片部に当接される補強具が挿通される補強具挿通孔が、厚さ方向に見て、前記補強斜片部の固定片部側の端部の左右両側に位置するように設けられ、かつ当該受けプレートに対する前記補強具の前記壁下地側への移動を抑止する抑止部が設けられていることを特徴とする。
【０００７】
本発明においては、前記受けプレートに設けられた前記左右両側の補強具挿通孔の間に、一端側が前記壁下地に固定され他端側が前記固定片部に当接される補強具が挿通される中央補強具挿通孔を設けてもよい。
また、本発明においては、前記中央補強具挿通孔を、厚さ方向に見て、前記補強斜片部の前記固定片部側の端部に重なる位置となるように設けてもよい。
また、本発明においては、前記受けプレートの上端側に、止具が挿通される上端側挿通孔を設け、前記固定片部に、厚さ方向に見て、前記受けプレートの上端側挿通孔と重なる位置となるように止具が挿通される止具挿通孔を設けてもよい。
また、本発明においては、前記固定片部の上下寸法を、前記支持片部の突出寸法よりも小さい寸法としてもよい。
【発明の効果】
【０００８】
本発明に係る板状部材支持具は、上述のような構成としたことで、見栄えを向上させながらも、板状部材を安定して支持することができる。
【図面の簡単な説明】
【０００９】
【図１】（ａ）は、本発明の一実施形態に係る板状部材支持具の一例を模式的に示し、図２におけるＸ部に対応させた一部破断概略縦断面図、（ｂ）は、（ａ）に対応させた一部破断概略分解縦断面図である。
【図２】同板状部材支持具の一例を模式的に示し、図３（ａ）におけるＹ−Ｙ線矢視に対応させた一部破断概略縦断面図である。
【図３】（ａ）は、同板状部材支持具の概略正面図、（ｂ）は、同板状部材支持具が備える受けプレートの一例を模式的に示す概略正面図、（ｃ）は、同板状部材支持具の概略底面図である。
【発明を実施するための形態】
【００１０】
以下に本発明の実施の形態について、図面に基づいて説明する。
図１〜図３は、本実施形態に係る板状部材支持具の一例を模式的に示す図である。
なお、以下の実施形態では、板状部材支持具を壁面に沿わせて設置した状態で、壁面に対面した状態を基準として、手前側を前方側、その逆側を後方側とし、また、その状態を基準として、上下方向及び左右方向の方向を説明する。
【００１１】
本実施形態に係る板状部材支持具１は、図１〜図３に示すように、壁面２に沿うように配設され板状部材５を支持する支持具本体１０と、この支持具本体１０と壁面２との間に配設される受けプレート２０と、を備えている。
この板状部材支持具１によって支持される板状部材５としては、種々の物品が載置される棚板やカウンター状の天板、飾り棚等としてもよく、または肘掛台や腰掛台等としてもよい。
本実施形態では、図３（ｃ）に示すように、板状部材支持具１を、左右方向に沿う寸法（幅寸法）が比較的に小さい寸法とされたものとし、板状部材５の左右方向に沿って適宜の間隔を空けて複数箇所に配設されるものとしている。
【００１２】
この板状部材支持具１が設置される壁面２としては、比較的剛性の低い（脆弱な）壁面材３によって構成されたものとしてもよい。このような壁面材３としては、例えば、石膏ボード（プラスターボード）やロックウールボード等の内装ボードとしてもよい。この壁面材３の表面を、壁面２として把握してもよく、この壁面材３の表面に貼着等されたクロス等の壁紙などの表面化粧材を壁面２として把握してもよい。
このような壁面材３は、図１及び図２に示すように、壁面材３よりも剛性の高い壁下地４に固定される。このような壁下地４としては、柱（間柱）や桟、胴縁、木摺、下地板等の木造間仕切下地としてもよく、スタッド（軽鉄）等の鋼製間仕切下地としてもよい。
【００１３】
支持具本体１０は、壁面２に沿うように配設される固定片部１６と、この固定片部１６の上端から壁面２に垂直な方向（前後方向）に突出するように設けられ板状部材５を支持する支持片部１１と、を備えている。また、支持具本体１０は、固定片部１６の下端側と支持片部１１の突出方向先端側とを接続するように斜め状に設けられた補強斜片部１３を備えている。
【００１４】
支持片部１１は、図１及び図２に示すように、厚さ方向を上下方向に沿わせて配設される薄板状とされている。また、支持片部１１は、図３（ｃ）に示すように、突出方向（前後方向に沿う方向）に長尺状とされている。
本実施形態では、図３（ｃ）に示すように、この支持片部１１の固定片部１６側の基端部の左右方向に沿う寸法（幅寸法）よりも、突出方向先端側の幅寸法を小さい寸法としている。このような構成とすれば、固定片部１６側の基端部の強度を向上させながらも軽量化等を図ることができる。図例では、突出方向先端側の幅寸法を全長に亘って均一な寸法とし、基端部と突出方向先端側との幅方向両側の境界部を、厚さ方向に見て、突出方向先側に向かうに従い幅狭となるテーパー形状とした例を示している。なお、このような態様に代えて、支持片部１１を、全長に亘って均一の幅寸法とされたものとしてもよい。
【００１５】
また、支持片部１１には、当該支持片部１１に板状部材５を固定するためのねじや釘等の止具８が挿通される止具挿通孔１２が設けられている。本実施形態では、支持片部１１に、複数の止具挿通孔１２を設けている。図例では、支持片部１１の基端部及び突出方向先端部のそれぞれに、左右方向に間隔を空けて複数箇所（図例では、２箇所）に止具挿通孔１２，１２，１２，１２を設けた例を示している。また、図例では、これら止具挿通孔１２，１２，１２，１２を、止具８の頭部を収容するざぐり（皿孔）等の収容凹所を設けた形状としている。
上記した板状部材５は、この支持片部１１の止具挿通孔１２，１２，１２，１２を介して止着された止具８，８，８，８によって支持片部１１に固定される。
また、本実施形態では、これら複数の止具挿通孔１２，１２，１２，１２の形成位置を含み、当該支持片部１１を、左右対称状としている。
【００１６】
なお、この支持片部１１の突出寸法や幅寸法、厚さ寸法は、板状部材５の大きさ（前後寸法）や用途、板状部材支持具１の耐荷重、外観上の観点や、軽量化を図る観点等から適宜、設定するようにしてもよい。図例では、支持片部１１の突出寸法を、支持片部１１の幅寸法（基端部の幅寸法）の６倍程度とした例を示している。また、支持片部１１の突出方向先端側の幅寸法を、基端部の幅寸法の２／３程度とした例を示している。また、支持片部１１の厚さ寸法は、例えば、１ｍｍ〜２０ｍｍ程度としてもよい。
【００１７】
固定片部１６は、図１及び図２に示すように、厚さ方向を前後方向に沿わせて配設される薄板状とされている。また、固定片部１６は、図３（ａ）に示すように、上下方向に長尺状（縦長状）とされている。この固定片部１６は、図３（ａ）、（ｃ）に示すように、支持片部１１側の端部となる少なくとも上端部の幅寸法が支持片部１１の幅寸法（基端部の幅寸法）と同寸法とされている。
本実施形態では、図３（ａ）に示すように、この固定片部１６を、厚さ方向に見て、上端部から下端部に向かうに従い幅狭となるテーパー形状としている。なお、このような態様に代えて、固定片部１６を、全長に亘って均一の幅寸法とされたものとしてもよい。
【００１８】
また、固定片部１６には、固定片部１６（当該支持具本体１０）を、壁面２（壁下地４）に固定するための止具７が挿通される止具挿通孔１７が設けられている。本実施形態では、図３（ａ）に示すように、固定片部１６の上端側にのみ止具挿通孔１７を設けた構成としている。また、本実施形態では、固定片部１６の上端側部位に、複数の止具挿通孔１７を設けている。図例では、固定片部１６の上端側略半部の左右方向両端部のそれぞれに、上下方向に間隔を空けて複数箇所（図例では、２箇所）に止具挿通孔１７，１７，１７，１７を設けた例を示している。また、図例では、これら止具挿通孔１７，１７，１７，１７を、止具７の頭部を収容するざぐり（皿孔）等の収容凹所を設けた形状としている。
また、本実施形態では、これら複数の止具挿通孔１７，１７，１７，１７の形成位置を含み、当該固定片部１６を、左右対称状としている。
【００１９】
また、本実施形態では、図２に示すように、固定片部１６の上下寸法を、支持片部１１の突出寸法よりも小さい寸法としている。この固定片部１６の上下寸法や幅寸法、厚さ寸法は、上記した支持片部１１と概ね同様の観点等から適宜、設定するようにしてもよい。例えば、固定片部１６の上下寸法を、支持片部１１の突出寸法の１／６〜２／３程度としてもよく、図例では、固定片部１６の上下寸法を、支持片部１１の突出寸法の１／４程度とした例を示している。また、固定片部１６の上下寸法を、固定片部１６の幅寸法の１．５倍程度とした例を示している。また、図例では、固定片部１６の厚さ寸法を、支持片部１１の厚さ寸法と同寸法とした例を示している。
また、本実施形態では、この固定片部１６と支持片部１１との入隅部にリブ１８を設けている。図例では、左右方向に間隔を空けて、支持片部１１及び固定片部１６の左右方向の中心からそれぞれに等距離となる位置にリブ１８，１８を設けた例を示している。
【００２０】
補強斜片部１３は、図２及び図３（ｃ）に示すように、支持片部１１と固定片部１６とを接続する方向に長尺な形状とされている。本実施形態では、この補強斜片部１３を、図３（ａ）、（ｃ）に示すように、厚さ方向を左右方向に沿わせて配設される薄板状としている。このような構成とすれば、例えば、厚さ方向を、左右方向及び当該補強斜片部１３の長手方向に直交する方向に沿わせたものと比べて、支持片部１１を介して補強斜片部１３に掛かる荷重に対する強度を向上させることができ、補強斜片部１３の変形等を抑制することができる。
また、本実施形態では、図２及び図３（ｃ）に示すように、補強斜片部１３の支持片部１１側の端部（支持片部側端部）１４を、支持片部１１の突出方向先端部に固定している。また、補強斜片部１３の固定片部１６側の端部（固定片部側端部）１５を、固定片部１６の下端部に固定している。つまり、上記のように、固定片部１６の上下寸法を、支持片部１１の突出寸法よりも小さい寸法とした本実施形態では、補強斜片部１３と支持片部１１とのなす角（内角）が、補強斜片部１３と固定片部１６とのなす角（内角）よりも小さくなる構成とされている。
【００２１】
また、本実施形態では、補強斜片部１３を、支持片部１１及び固定片部１６の左右方向の中心に位置するように設けている。
この補強斜片部１３の長さ寸法や幅寸法、厚さ寸法は、支持片部１１の突出寸法及び固定片部１６の上下寸法に応じて、また、上記同様の観点等から適宜、設定するようにしてもよい。本実施形態では、この補強斜片部１３の厚さ寸法を、支持片部１１及び固定片部１６の厚さ寸法よりも大きい寸法とした例を示している。この補強斜片部１３の厚さ寸法は、例えば、支持片部１１及び固定片部１６の１．５倍〜５倍程度としてもよく、図例では、３倍程度とした例を示している。
【００２２】
また、この補強斜片部１３は、支持片部１１及び固定片部１６とともに一体的に形成されたものとしてもよいが、支持片部１１及び固定片部１６とは別体とされた部材をこれらに固定して構成されたものとしてもよい。図例では、支持片部１１の突出方向先端部及び固定片部１６の下端部に設けられた凹所に、補強斜片部１３の支持片部側端部１４及び固定片部側端部１５を嵌め入れて固定した例を示している。
また、補強斜片部１３としては、厚さ方向を左右方向に沿わせて配設される薄板状とされたものに限られない。例えば、厚さ方向を、左右方向及び当該補強斜片部１３の長手方向に直交する方向に沿わせて配設される薄板状とされたものや、丸棒状、角棒状等とされたものとしてもよい。
また、補強斜片部１３の支持片部側端部１４及び固定片部側端部１５の各片部との固定位置は、上記した例に限られない。この補強斜片部１３の支持片部側端部１４は、支持片部１１の突出方向中央よりも突出方向先側に固定するようにすればよく、また、補強斜片部１３の固定片部側端部１５は、固定片部１６の上下方向中央よりも下端側に固定するようにすればよい。
【００２３】
また、上記した支持具本体１０は、例えば、アルミニウムやステンレス、鉄、炭素鋼等の金属系材料や木質系材料、樹脂系材料等から形成されたものとしてもよい。また、支持具本体１０は、適宜、曲げ加工や切削、打ち抜きや、鋳造成型等によって形成されたものとしてもよい。また、支持具本体１０は、一体的に形成されたものとしてもよく、別部材とされた各片部を適宜、溶接等によって接合して形成されたものとしてもよい。
【００２４】
受けプレート２０は、壁面２と固定片部１６との間に配設され、厚さ方向に見て固定片部１６と概ね整合する形状とされている。この受けプレート２０は、その厚さ方向を前後方向に沿わせて配設される薄板状とされている。
本実施形態では、この受けプレート２０の上下寸法及び左右寸法を、固定片部１６の上下寸法及び左右寸法と同寸法とし、この受けプレート２０を、厚さ方向に見て、固定片部１６と整合する形状としている。つまり、受けプレート２０を、厚さ方向に見て、上端部から下端部に向かうに従い幅狭となるテーパー形状としている。なお、このような態様に代えて、受けプレート２０を、固定片部１６よりも僅かに小さい形状とされたものや僅かに大きい形状とされたものとしてもよい。この受けプレート２０の厚さ方向に見た形状は、固定片部１６よりも大きくし過ぎれば、目立ち易くなり、固定片部１６よりも小さくし過ぎれば、固定片部１６を安定的に壁面２に対して平行状に配設し難くなる傾向がある。このような観点等から、受けプレート２０を、厚さ方向に見て固定片部１６に整合する形状または固定片部１６を安定的に壁面２に対して平行状に配設可能なように、固定片部１６よりも小さい形状としてもよい。
【００２５】
また、受けプレート２０には、一端側が壁下地４に固定され他端側が固定片部１６に当接される補強具６が挿通される補強具挿通孔２１が設けられている。この補強具挿通孔２１は、厚さ方向に見て、補強斜片部１３の固定片部側端部１５の左右両側に位置するように設けられている。本実施形態では、図３（ａ）、（ｂ）に示すように、これら左右両側の補強具挿通孔２１，２１を、受けプレート２０の下端部に設けている。また、これら左右両側の補強具挿通孔２１，２１を左右対称状に設けている。また、図例では、これら左右両側の補強具挿通孔２１，２１を、これら左右両側の補強具挿通孔２１，２１の孔心が補強斜片部１３の固定片部側端部１５の下端縁よりも下方側に位置するように設けている。
【００２６】
また、本実施形態では、これら左右両側の補強具挿通孔２１，２１の間に、一端側が壁下地４に固定され他端側が固定片部１６に当接される補強具６が挿通される中央補強具挿通孔２１Ａを設けている。本実施形態では、中央補強具挿通孔２１Ａを、受けプレート２０の左右方向の中心に位置するように設けている。また、中央補強具挿通孔２１Ａを左右両側の補強具挿通孔２１，２１よりも上方側に設けている。
また、本実施形態では、中央補強具挿通孔２１Ａを、厚さ方向に見て、補強斜片部１３の固定片部側端部１５に重なる位置となるように設けている。図例では、左右両側の補強具挿通孔２１，２１間の寸法を、各補強具挿通孔２１と中央補強具挿通孔２１Ａとの間の寸法よりも大きい寸法としている。
これら両側の補強具挿通孔２１，２１及び中央補強具挿通孔２１Ａは、互いに同様の構成とされている。
【００２７】
また、本実施形態では、受けプレート２０に、受けプレート２０に対する補強具６の壁下地４側への移動を抑止する抑止部２２を設けている。本実施形態では、補強具６を、一端側が壁下地４に捩じ込まれる（打ち込まれる）ねじや釘等の壁面材３よりも剛性が高い止具とし、抑止部２２を、この補強具６の他端部としての頭部（鍔状部）を受け入れるように形成された収容凹所の内周面（底面）としている。図例では、補強具６を、皿ねじ状とし、抑止部２２を構成する収容凹所を、皿孔状（ざぐり孔状）とした例を示している。
この抑止部２２は、壁下地４に向かって挿入される補強具６の他端部（頭部）の抑止部２２に対面する側が当接し、補強具６の壁下地４側への移動を抑止する構成とされている。
また、抑止部２２は、補強具６の頭部の対面側（裏面側）が当接された状態で、補強具６の頭部が受けプレート２０の表面から過剰に突出しないように形成されている。
【００２８】
この抑止部２２を、補強具６の頭部の対面側が当接された状態で、補強具６の頭部の表面と受けプレート２０の表面とが概ね同一平面状となるように形成してもよい。または、この抑止部２２を、補強具６の頭部の対面側が当接された状態で、補強具６の頭部が受けプレート２０の表面に対して僅かに突出するように形成してもよい。例えば、抑止部２２を、補強具６の頭部の対面側が当接された状態で、補強具６の頭部が受けプレート２０の表面よりも０．１ｍｍ〜１ｍｍ程度突出するように形成してもよい。このような構成とすれば、補強具６の頭部を、より確実に固定片部１６に当接させることができる。
受けプレート２０は、各補強具挿通孔２１，２１，２１Ａを介して壁下地４に止着された各補強具６，６，６によって壁面２に沿うように固定される。つまり、補強具６，６，６は、固定片部１６に当接されて後記するように固定片部１６を受ける機能と、当該受けプレート２０を固定する機能と、を兼ね備えている。
【００２９】
また、本実施形態では、図３（ａ）に示すように、受けプレート２０の上端側に止具７が挿通される上端側挿通孔２３を設けている。この上端側挿通孔２３は、厚さ方向に見て、固定片部１６の止具挿通孔１７と重なる位置となるように設けられている。つまり、受けプレート２０の上端側略半部の左右方向両端部のそれぞれに、上下方向に間隔を空けて複数箇所（図例では、２箇所）に上端側挿通孔２３，２３，２３，２３を設けた例を示している。
上記した支持具本体１０は、壁面２に沿って固定された当該受けプレート２０に固定片部１６を重ね合わせ、固定片部１６の各止具挿通孔１７及び受けプレート２０の各上端側挿通孔２３を介して壁下地４に止着された各止具７によって壁面２に沿うように固定される。
【００３０】
なお、図例では、この受けプレート２０の厚さ寸法を、固定片部１６の厚さ寸法と同寸法とした例を示しているが、上記同様の観点等から、適宜、設定するようにしてもよく、例えば、１ｍｍ〜２０ｍｍ程度としてもよい。
また、受けプレート２０は、支持具本体１０と同材料で形成されたものとしてもよい。または、受けプレート２０の材料としては、壁面材３よりも剛性の高い材料で形成されたものであればよく、例えば、支持具本体１０とは異なる金属系材料や樹脂系材料、木質系材料等で形成されたものとしてもよい。
【００３１】
本実施形態に係る板状部材支持具１は、上述のような構成としたことで、見栄えを向上させながらも、板状部材５を安定して支持することができる。
つまり、板状部材支持具１は、壁面２に沿うように配設される固定片部１６の下端側と板状部材５を支持する支持片部１１の突出方向先端側とを接続するように斜め状に補強斜片部１３を設けた支持具本体１０を備えている。従って、補強斜片部１３によって支持片部１１の撓みを抑制することができる。
また、壁面２と固定片部１６との間に配設される受けプレート２０に、一端側が壁下地４に固定され他端側が固定片部１６に当接される補強具６が挿通される補強具挿通孔２１を設けている。従って、固定片部１６の下端側を概ね支点として支持片部１１の先端側を下方側に向かわせようとする板状部材支持具１（支持具本体１０）に作用するモーメントによって固定片部１６の下端側を壁面材３側に押し付ける方向へ作用する荷重を、壁下地４に固定された補強具６によって言わば突っ張り状に受けることができる。これにより、石膏ボード等のような比較的剛性の低い壁面材３によって構成された壁面２に沿わせて板状部材支持具１を取り付けた場合であっても、固定片部１６（受けプレート２０）の壁面材３への食い込みを抑制することができ、板状部材５を安定して支持することできる。また、これにより、壁面材３への食い込みを抑制すべく、固定片部１６を大きくする必要性が低減され、固定片部１６を効果的に小さくすることができ、見栄えを向上させることができる。
【００３２】
また、受けプレート２０に、厚さ方向に見て、補強斜片部１３の固定片部側端部１５の左右両側に位置するように補強具挿通孔２１，２１を設けている。従って、固定片部１６における補強斜片部１３を介して荷重が多く掛けられる部位側の左右両側に補強具６，６が設けられることとなり、壁面材３側への上記荷重を、これら両側の補強具６，６によってより効果的に受けることができ、固定片部１６（受けプレート２０）の壁面材３への食い込みをより抑制することができる。また、板状部材支持具１（支持具本体１０）の先端側に左右方向の外力等が作用した場合にも、これら左右両側の補強具６，６によって受けることができる。
【００３３】
また、受けプレート２０に、当該受けプレート２０に対する補強具６の壁下地４側への移動を抑止する抑止部２２を設けている。従って、補強具６の一端側を壁下地４に固定すべく補強具６を捩じ込む（打ち込む）際に、受けプレート２０によって補強具６の捩じ込み（打ち込み）方向への位置決めを容易に行うことができる。これにより、補強具６の他端側が固定片部１６に当接し難くなったり、補強具６の他端側によって固定片部１６が浮いた状態となったりするようなことを抑制することができ、補強具６の他端側を安定的に固定片部１６に当接させることができる。
また、受けプレート２０の形状を、厚さ方向に見て固定片部１６と概ね整合する形状としている。従って、受けプレート２０を固定片部１６よりも大きくし過ぎたり、小さくし過ぎたりしたものに比べて、支持具本体１０（固定片部１６）を受けプレート２０を介して見栄え良く、かつ、安定的に壁面２に沿わせて取り付けることができる。
【００３４】
また、本実施形態では、これら左右両側の補強具挿通孔２１，２１を、受けプレート２０の下端部に設けている。従って、壁面材３側に押し付ける方向へ作用する荷重が特に掛けられる部位となる固定片部１６の下端部の左右両側に補強具６，６が設けられることとなり、壁面材３側への上記荷重を、これら両側の補強具６，６によってより効果的に受けることができる。
なお、このような態様に代えて、左右両側の補強具挿通孔２１，２１を、厚さ方向に見て、固定片部１６の下端側略半部に位置するように受けプレート２０に設けるようにしてもよい。また、これら左右両側の補強具挿通孔２１，２１の両方または一方を、上下の複数箇所に設けるようにしてもよい。
【００３５】
また、本実施形態では、受けプレート２０に設けられた左右両側の補強具挿通孔２１，２１の間に、一端側が壁下地４に固定され他端側が固定片部１６に当接される補強具６が挿通される中央補強具挿通孔２１Ａを設けている。従って、壁面材３側への上記荷重を、これら両側の補強具６，６及び中央の補強具６によってより効果的に受けることができる。
【００３６】
また、本実施形態では、中央補強具挿通孔２１Ａを、厚さ方向に見て、補強斜片部１３の固定片部側端部１５に重なる位置となるように設けている。従って、固定片部１６における補強斜片部１３を介して荷重が特に多く掛けられる部位に補強具６が設けられることとなり、壁面材３側への上記荷重を、この中央の補強具６によってより効果的に受けることができる。なお、このような態様に代えて、中央補強具挿通孔２１Ａを、厚さ方向に見て、固定片部１６の下端側略半部に位置するように受けプレート２０の適所に設けるようにしてもよい。また、このような中央補強具挿通孔２１Ａを、複数箇所に設けるようにしてもよい。さらには、このような中央補強具挿通孔２１Ａを設けないようにしてもよい。
【００３７】
また、本実施形態では、受けプレート２０の上端側に止具７が挿通される上端側挿通孔２３を設け、固定片部１６に、厚さ方向に見て、受けプレート２０の上端側挿通孔２３と重なる位置となるように止具７が挿通される止具挿通孔１７を設けている。従って、固定片部１６の上端側を、受けプレート２０の上端側とともに、止具７によって壁下地４に固定し、固定片部１６の下端側を補強具６に当接させて支持具本体１０を受けプレート２０を介して壁面２に沿わせて取り付けることができる。これにより、固定片部１６の下端側にも止具挿通孔１７を設けたものと比べて、固定片部１６の下端側の見栄えを向上させることができる。なお、このような態様に代えて、受けプレート２０及び固定片部１６の適所に、厚さ方向に見て互いに重なる位置となるように、支持具本体１０を受けプレート２０を介して壁面２に沿わせて取り付ける止具が挿通される止具挿通孔を設けるようにしてもよい。
【００３８】
また、本実施形態では、固定片部１６の上下寸法を、支持片部１１の突出寸法よりも小さい寸法としている。従って、固定片部１６を目立ちに難くすることができる。また、このように固定片部１６を比較的に小さい寸法として見栄えを向上させながらも、上述のように、補強具６によって固定片部１６（受けプレート２０）の壁面材３への食い込みを抑制することができる。なお、このような態様に代えて、固定片部１６の上下寸法を、支持片部１１の突出寸法と概ね同寸法としたり、支持片部１１の突出寸法よりも大きい寸法としたりしてもよい。
【００３９】
なお、本実施形態では、補強具６を、ねじや釘等の止具とした例を示しているが、このような態様に代えて、他端部に一端側よりも大径状とされた鍔状部を有したアンカー状（パイプ状）部材や棒状部材等としてもよい。この場合は、補強具６の鍔状部（他端部）の形状に応じた収容凹所を抑止部２２として設けるようにしてもよい。または、抑止部２２としては、このような収容凹所からなるものに限られず、例えば、補強具６の鍔状部に当接される補強具挿通孔２１（２１Ａ）の孔周縁部を抑止部２２として把握するようにしてもよい。この場合は、固定片部１６の裏面側（後面側）に、補強具６の他端部を受け入れる凹所を設けるようにしてもよい。
【符号の説明】
【００４０】
１        板状部材支持具
１０      支持具本体
１１      支持片部
１３      補強斜片部
１５      固定片部側端部（固定片部側の端部）
１６      固定片部
１７      止具挿通孔
２０      受けプレート
２１      補強具挿通孔
２１Ａ    中央補強具挿通孔
２２      抑止部
２３      上端側挿通孔
２        壁面
４        壁下地
６        補強具
７        止具
【図１】
2015066201.tif 000003
【図２】
2015066201.tif 000004
【図３】
2015066201.tif 000005